(57)【要約】【課題】貸単価の変更対象となる遊技機を好適に把握可能な指標を示し得る遊技場用システムを提供する。【解決手段】遊技場用システムでは、第１管理手段と第２管理手段との少なくとも一方により管理される遊技情報であって、機種としては共通する第１遊技機と第２遊技機との遊技情報の値に比率による順位付けに基づき、第１単価から第２単価への単価の変更が推奨される変更推奨機種を出力するため、単価の変更対象となる遊技機を好適に把握可能な指標として提示し得るようになる。【選択図】図２４
2020195580.tif 000002
【特許請求の範囲】
【請求項１】
遊技場に設置され、遊技に使用される遊技媒体の単価として第１単価が設定される第１遊技機、及び当該第１単価とは異なる第２単価が設定される第２遊技機とを含む遊技機の遊技情報を管理対象とする個々の遊技場の第１管理手段と、
複数の前記第１管理手段で管理される遊技情報を管理対象とする第２管理手段と、
前記第１管理手段、及び前記第２管理手段の少なくとも一方により管理される遊技情報であって、機種としては共通する前記第１遊技機と前記第２遊技機とにおける遊技情報の値の比率に基づき順位付けされる機種単位の順位を示す順位情報を特定する順位情報特定手段と、
前記順位情報が予め設定される順位条件を満たすことで前記第１単価から前記第２単価へ前記単価の変更が推奨される変更推奨機種を特定可能な情報を出力する出力手段と、を備えたことを特徴とする遊技場用システム。
【請求項２】
前記第１管理手段、及び前記第２管理手段の少なくとも一方は、遊技機が遊技場に与えた利益を示す利益情報を管理対象とし、
前記変更推奨機種は、前記第２遊技機における利益情報が予め設定される利益条件を満たすことで、単価の変更により特定の利益が見込まれる機種を対象とすることを特徴とする請求項１に記載した遊技場用システム。
【請求項３】
前記第１管理手段、及び前記第２管理手段の少なくとも一方は、遊技機が遊技場に与えた利益を示す利益情報と、遊技機の稼動状況を示す稼動情報とを管理対象とし、
前記順位情報は、機種としては共通する前記第１遊技機と前記第２遊技機とにおける前記利益情報の比率に基づく順位と、前記稼動情報の比率に基づく順位と、の和である順位和を示すことを特徴とする請求項１又は２に記載した遊技場用システム。
【請求項４】
前記第２管理手段は、前記第２遊技機における前記利益情報を管理対象とし、
前記変更推奨機種は、当該変更推奨機種の特定対象となる遊技場に設置された機種であって、前記第２管理手段の管理対象となる前記第２遊技機における前記利益情報が、予め設定される利益条件を満たす機種を対象とし、
前記順位条件は、前記変更推奨機種の対象となる機種を前記順位和により順位付けした順位が特定の順位となる場合に満たされることを特徴とする請求項３に記載した遊技場用システム。
【請求項５】
前記第１管理手段は、遊技機が遊技場に与えた利益を示す利益情報と、遊技機の稼動状況を示す稼動情報とを管理対象とし、
前記変更推奨機種は、当該変更推奨機種の特定対象となる遊技場において、前記第１遊技機としては設置される一方、前記第２遊技機としては設置されていない機種であって、当該遊技場に対応する前記第１管理手段の管理対象となる利益情報が予め設定される基準利益条件を満たさないとともに、同じく第１管理手段の管理対象となる稼動情報が予め設定される基準稼動条件を満たさない機種を対象とすることを特徴とする請求項１から４の何れか一項に記載した遊技場用システム。
【発明の詳細な説明】
【技術分野】
【０００１】
本発明は遊技場用システムに関する。
【背景技術】
【０００２】
遊技場に設置される遊技機を管理する場合、遊技に使用される遊技価値の単価である貸単価を変更することもあり、例えば特許文献１では、その貸単価の変更前後で遊技情報を比較することが提案されている（同文献の段落［０１０９］参照）。
このように、貸単価の変更前後で遊技情報を比較すれば貸単価を実際に変更した場合にその成果を把握可能にはなるが、機種の中には貸単価の高い所謂高貸よりも貸単価の低い所謂低貸の方が向いている機種、或いはその逆となる機種もあり、そのような機種を貸単価の変更前等のような、貸単価を変更すべき機種の選定時に把握したいとのニーズも少なくない。
【先行技術文献】
【特許文献】
【０００３】
【特許文献１】特開２００４−９７５１３号公報
【発明の概要】
【発明が解決しようとする課題】
【０００４】
本発明は、上記した事情に鑑みてなされたもので、その目的は、貸単価の変更対象となる遊技機を好適に把握可能な指標を示し得る遊技場用システムを提供することにある。
【課題を解決するための手段】
【０００５】
本実施形態の遊技場用システムによれば、第１管理手段と第２管理手段との少なくとも一方により管理される遊技情報であって、機種としては共通する第１遊技機と第２遊技機との遊技情報の値に比率による順位付けに基づき、第１単価から第２単価への単価の変更が推奨される変更推奨機種を出力するため、単価の変更対象となる遊技機を好適に把握可能な指標として提示し得るようになる。
【図面の簡単な説明】
【０００６】
【図１】一実施形態における遊技場用システムの全体構成を示す概略図
【図２】（ａ）はスペック値、（ｂ）はタイプ別の分類を示す図
【図３】各遊技機の素データの一覧を示す図
【図４】各遊技機の遊技情報の集計を示す図
【図５】スペック情報を示す図
【図６】理論情報を示す図
【図７】新台の対象機種に関する通知画面を示す図
【図８】対象機種の遊技情報と推移グラフ１（デフォルト設定）を示す図
【図９】比較機種の選択画面を示す図
【図１０】対象機種の遊技情報と推移グラフ２（選択機種との比較）を示す図
【図１１】台遊技時間によるランク分けの判定テーブル（サーバ用）を示す図
【図１２】台遊技時間によるランク分けの判定テーブル（自店用）を示す図
【図１３】ランク分けのマトリクステーブルを示す図
【図１４】初日用のコメントテーブル（順位）を示す図
【図１５】初日用のコメントテーブル（ランク別）を示す図
【図１６】初日と２日目以降の判定日に関する説明図
【図１７】台遊技時間変動率の判定基準を示す図
【図１８】２日目以降用のコメントテーブルを示す図
【図１９】玉粗利の判定基準を示す図
【図２０】初日の玉粗利に関するコメントテーブル（初日と２日目以降）を示す図
【図２１】自店のＳＰ玉粗利と全国の玉粗利指標との比較に基づく判定に関する説明図
【図２２】低貸移設の推奨機種に関する通知画面を示す図
【図２３】変更推奨機種として特定された機種の遊技情報を示す図
【図２４】変更推奨機種のピックアップ順位を含む説明図
【発明を実施するための形態】
【０００７】
以下、本発明の一実施形態について図面を参照して説明する。
図１は、遊技場用システムの全体構成を示す概略図である。遊技場Ａ内には複数機種の遊技機１が設置されており、各遊技機１に対応して遊技装置２が設置されている。これら遊技機１及び遊技装置２は２台ずつ中継装置３に接続されており、中継装置３はＬＡＮ４を介して管理装置５と接続されている。また、遊技場Ａ内には、図示しないＰＯＳや残高精算機も設置されており、これらＰＯＳや残高精算機もＬＡＮ４を介して管理装置５と接続されている。尚、図１では図示を省略したが、実際には多数（例えば数百台）の遊技機１が管理装置５の管理対象となっている。
【０００８】
管理装置５は、遊技場Ａ内の例えば事務室等に設置されており、遊技場の管理者が操作するキーボード６、モニタ７、マウスやプリンタ（図示略）等が接続されている。管理装置５は、遊技機側（遊技機１、遊技装置２等）から出力される遊技信号により特定される遊技情報を管理する。詳しくは後述するように、管理装置５は遊技情報として、少なくとも遊技機１の稼動状況を示す稼動情報を管理するようになっており、例えば当該遊技場Ａ内における遊技機１や遊技装置２の稼動状態、会員登録された会員毎の個人情報等も管理対象としている。
【０００９】
遊技場用システムでは、別の遊技場（図１の例示では遊技場Ｂ、遊技場Ｃ）においても、上記した遊技機１、遊技装置２、中継装置３、ＬＡＮ４、管理装置５等を設置した遊技場Ａと同様の構成が採用されている。各遊技場Ａ〜Ｃに設置されている各管理装置５は、夫々インターネットやＶＰＮ接続等の公衆回線８を介して、各遊技場Ａ〜Ｃとは別に設置されているサーバ９と接続されており、各種信号や各種情報を公衆回線８等を介してサーバ９と通信可能に構成されている。
遊技機１は、ＣＲ（カードリーダ）パチンコ機であり、盤面１０に玉を発射する発射装置を構成する操作ハンドル１１、上部受皿１２、下部受皿１３を有すると共に、盤面１０に、液晶表示部１４、普図入賞口１５、第１始動口１６、第２始動口１７、大入賞口１８等を有する。
【００１０】
遊技機１は以下に示すように動作する。
（１）第１始動口１６は入賞率が変動しない入賞口（所謂ヘソ入賞口）であり、第２始動口１７は入賞率が変動する入賞口（所謂電チュー）である。各始動口１６、１７への入賞（始動入賞）に応じて大当り抽選を行い、抽選結果を液晶表示部１４にて行う図柄変動にて報知し、その変動結果に応じて大当りとなる。
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１１】
（３）図２（ａ）は、大当り抽選の当選確率（大当り確率）に係るスペック値を例示している。同図に示すように、「大当り確率」は、確変状態（確変）でも大当りでもない通常遊技状態（通常状態）と確変とを対象として規定され、「継続回数」は、大当りがその後に確変となる大当り（確変大当り）となる割合である確変率等の大当りの継続回数に関わる値を規定している。
尚、通常状態での大当り確率に関して、後述する図２（ｂ）の「ＴＳ上限」は、当該大当り確率の分母を表している。また、大当りの継続回数は、確変時の大当り確率や確変率や後述する時短回数等から想定される想定値として把握することができる。尚、所謂モード（遊技機設定値）により大当り確率等を変更可能な遊技機１に対応してもよく、スペック値は、そのモード等に応じて適宜変更しうるものである。
【００１２】
（４）大当りが発生すると対応するラウンド（Ｒ）分だけ大入賞口１８を開放する。尚、１Ｒの上限入賞数は１０個、上限開放期間は３０秒であり、上限入賞数または上限開放期間のいずれかが満たされた場合に１Ｒを終了する。対応するラウンドも大当り抽選と同様に抽選され、その振分率は第１始動口１６に入賞した場合は２Ｒが１０％で４Ｒが５１％で１５Ｒが３９％であるが、第２始動口１７の場合は４Ｒが１０％で１５Ｒが９０％となり、入賞に応じた図柄変動の保留消化優先順位は第１始動口１６よりも第２始動口１７の方が高く設定される。
（５）確変中は大当り確率が向上すると共に、第２始動口１７の入賞率が高くなる時短状態（時短）になる。尚、確変は次回大当りまで継続するため、通常状態となる大当り（通常大当り）が発生するまで継続し、その後は所定の時短回数（例えば１００回）の図柄変動を行うまで時短状態となる。
【００１３】
（６）第２始動口１７は普図入賞口１５への入賞に応じて変動する普通図柄（普図）が当りとなった場合に入賞率の高い開放状態となる。この場合、普図１回の変動期間は通常状態では３０秒であり時短状態では３秒となる。また、開放期間は通常状態では０．３秒であり時短状態では５秒となる。即ち、時短状態では通常状態と比較して普図変動期間が短くなる一方、開放期間は長くなることで第２始動口１７の入賞率が高くなる。以上は機種AAAAを例にして説明したが、例示した値は例えば機種BBBB（図２３等参照）であればラウンドの振分が異なる等、機種に応じて様々な値となる。
【００１４】
ここで、図２（ｂ）は、上記したパチンコ機について、そのスペック値に応じたタイプ別に予め分類した一例を示している。即ち、管理装置５は分類手段として、キーボード６での入力操作等に基づき、遊技機１をスペックに応じたタイプ別に分類する機能を有しており、「ハイミドル」「ミドル」「ライトミドル」「ライト」「ミニマム」「その他」の６つのタイプごとにスペック値等を対応付けて規定している。同図（ｂ）に示す「ＴＳ上限」及び「ＴＳ下限」は、通常時の大当り確率の分母つまり理論ＴＳに対応しており、対応する遊技機１のタイプは、理論ＴＳを目安に分類される射幸性のタイプである。「その他」は、同図（ｂ）に示すように所謂羽根モノに属するタイプのような大当り確率が設けられないタイプの遊技機１が分類されるものとする。
【００１５】
遊技機１を分類する指標は、理論ＴＳ（実際のＴＳでもよい）に限るものではなく、パチンコ機とスロットマシンとで分類できるのは勿論である。尚、スロットマシンの場合、遊技性に応じてノーマル（ＲＴやＡＴ等が設けられない所謂Ａタイプ）、ＲＴ、ＡＲＴ、ノーマル＋ＡＲＴ、３０φノーマル、３０φＡＲＴ等のタイプ別に分類されるものとするが、例えば一定の出玉を得るまでにスペック上必要な投資金額のような遊技機のスペックに応じた他の区分方法にて分類してもよい。
【００１６】
遊技機１及び当該遊技機１に付設された周辺機器は、遊技者による玉の打ち込みや各始動口１６、１７への始動入賞等の遊技の進行に伴って、以下に示す遊技信号を出力する。
・アウト信号＝消費玉を回収するアウトＢＯＸから出力される消費価値（アウト）を特定可能な信号（稼動信号）。消費（使用、打込、回収）玉１０玉に対して１パルスが出力されるので、「アウト信号数×１０」をアウトとして特定。尚、遊技機側から出力される信号でもよい。
・セーフ信号＝遊技機側から出力される入賞付与価値（セーフ）を特定可能な信号。入賞に応じた払出１０玉に対して１パルスが出力されるので、「セーフ信号数×１０」をセーフとして特定する。尚、補給装置から出力される補給信号をセーフ信号としてもよい。また、玉を実際に払出した際に出力される実セーフ信号と、入賞に応じて払出が予約された場合に出力される入賞セーフ信号とがあるが、入賞から出力までのタイムラグを極力省くため後者を採用することが望ましい。
・スタート信号＝遊技機側から出力される始動入賞（Ｓ入賞）により変動（作動）する液晶表示部１４（役物）におけるスタート処理（図柄変動、役物作動、単位遊技）、及びスタート（スタート処理数）を特定可能な信号。図柄変動確定時に出力されるので信号入力に応じてスタート処理を特定する。
・Ｓ入賞信号＝遊技機側から出力されるＳ入賞を特定可能な信号。始動入賞時に出力されるので信号入力に応じて始動入賞を特定する。尚、スタートとＳ入賞とのいずれか一方のみを管理する等、兼用して管理対象としてもよい。
・大当り信号＝遊技機側から出力される大当り期間を特定可能な信号。大当り中にレベル出力される状態信号なので大当り信号入力中を大当り中として特定する。
・特別状態信号＝遊技機側から出力される特別状態（甘中）を特定可能な信号。第２始動口１７の入賞率が向上する特別状態中（時短中（確変時を含む））にレベル出力される状態信号なので、特別状態信号入力中を特別状態中として特定する。尚、大当り確率が向上する確変中にレベル出力される状態信号（確変信号）であってもよい。また、大当り信号と特別状態信号のいずれも入力していない期間を通常状態として特定する。
【００１７】
遊技装置２は、所謂各台計数機能付の貸出機であり、遊技機１の遊技状態を示す状態表示灯１９、貨幣（貨幣価値、有価価値）が投入される貨幣投入口２０、遊技者からの入力操作を受け付けると共に遊技の進行に伴って図柄変動回数（スタート回数）や大当り確率等の遊技情報を表示するタッチパネル式の液晶表示部２１、持玉（会員であれば貯玉も含む、獲得価値、有価価値）を払い出すための払出釦２２、払い出された玉が通過する払出ノズル２３、一般カードや会員カードが挿入されるカード挿入口２４、遊技機１の下部受皿１３の下方に位置する着脱可能な計数受皿２５等を有する。
【００１８】
遊技装置２は、以下に示す機能を備えている。
（１）貨幣を受け付けると（貨幣受付処理）と、遊技機１と遊技装置２の双方に入金額を表示すると共に貸出１単位（例えば５００円）分の貸出玉（対価付与価値）を遊技機１から払い出させ（対価付与処理）、その対価付与処理に応じて入金額の表示を貸出玉の対価を除いた残高の表示とする。貨幣は複数回分の対価付与処理の対応分を受付可能である（例えば１万円まで）。
（２）残高がある状態で遊技機１の貸出釦が押下（貸出操作、付与操作）されると、貸出１単位分の貸出玉を遊技機１から払い出させ、その対価分を残高から引き落とす。また、遊技者が獲得した獲得玉を計数し、その計数した獲得玉を対価として再度玉を払い戻すことも可能であり、その払い戻し分の対価を除いた玉数を持玉として特定することも可能である。
【００１９】
（３）残高や持玉が残存する状態で遊技機１の返却釦が押下（発行操作）されると、残玉や持玉を特定可能な一般カードを発行する。尚、残高や持玉の一部を発行対象とする分割発行は説明の簡略化のため不可としたが可能としてもよい。
（４）中継装置３とのシリアル通信（売上信号の受信）により貨幣受付処理や対価付与処理、残高や貸出玉数、入金額や貸出玉数や貸出玉の対価となる売上額、計数玉、持玉、払戻玉、及び一般カードの受付や発行処理を特定可能であるが、これらはパルス信号（例えば入金１０００円毎に１パルス、売上１００円毎に１パルス等）でも特定可能である。
【００２０】
管理装置５の制御部（単に「管理装置５」と称す）は、マイクロコンピュータを主体に構成され、ＲＯＭ、ＲＡＭ、ＨＤＤ等からなる記憶部、Ｉ／Ｏ等を備えており、その不揮発性の記憶部に記憶された制御プログラムに従い動作する。管理装置５は、遊技機側から出力される遊技信号により特定される遊技情報を管理する管理手段として各遊技機１の遊技情報を集計している。
【００２１】
図３は管理装置５が営業日単位で集計した例えば機種AAAAに属する各遊技機１の基データ（実績値）の一覧を示しており、以下の各項目が設定されている。
・アウト＝アウト信号により特定される遊技機１にて消費された遊技価値
・セーフ＝セーフ信号により特定される遊技機１への入賞に応じて付与された遊技価値
・スタート＝スタート信号により特定される遊技機１における役物の作動回数（図柄変動数）
・Ｓ入賞＝Ｓ入賞信号により特定される始動入賞回数
・売上玉＝売上信号により特定される対応する貸出機にて貨幣価値を対価として付与された遊技価値（貸出玉数、対価付与価値）
・大当り数＝大当り信号により特定される大当り数で、「通常」は通常時に発生した大当り数で所謂「初当り」数、「特定」は特定の条件を満たす（例えばＴ１Ｙに対して設定される基準範囲（例えば１０００〜２０００）内のＴ１Ｙとなった）大当りである特定大当りの発生回数
・Ｔアウト＜Ｔセーフ＞＝Ｔ中（大当り中、及び甘中）のアウト＜セーフ＞
・Ｔ１アウト＜Ｔ１セーフ＞＝Ｔ１中（大当り中）のアウト＜セーフ＞
・特Ｔ１アウト＜特Ｔ１セーフ＞＝特定大当りのみを対象としたＴ１中のアウト＜セーフ＞
【００２２】
尚、図３の「平均」は機種AAAAを対象とした遊技機平均であり、「甘中」は時短などの特別状態期間に対応した遊技情報を示す。また、本実施形態では、所謂貯玉に基づく再プレイシステムのない遊技場を前提としているが、再プレイシステムのある遊技場であれば、売上玉に再プレイ玉を含めて演算することが望ましい。但し、図１に示す払出ノズル２３は遊技者が当日に獲得した獲得玉を払戻すための再プレイ用であり、この再プレイ玉は売上玉に含める必要はない。
【００２３】
管理装置５は、遊技情報を所定期間単位で管理可能であり、図３の基データに基づいて当該所定期間（例えば一週間、一カ月といった複数日からなる参照期間）における各遊技機１の遊技情報を集計する。ここで、図４は例えば機種AAAAに属する各遊技機１の遊技情報の集計（実績情報）であり、以下の各項目が設定されている。尚、実績情報とは実績値のみだけではなく、実績値に基づく理論値も含む概念である。
・ベース＝状態（通常時、甘中）別の出率で、「通常」はＢセーフ÷ＢＯ、「甘中」はＢセーフＡ÷ＢＯＡの演算値を示す遊技情報（遊技価値の付与状況）
尚、以下も含め通常中のアウトであるＢＯはアウト−Ｔアウト、通常中のセーフであるＢセーフはセーフ−Ｔセーフ、甘中のアウトであるＢＯＡはＴアウト−Ｔ１アウト、甘中のセーフであるＢセーフＡはＴセーフ−Ｔ１セーフにて特定しているが、ＢＯ、Ｂセーフ、ＢＯＡ、ＢセーフＡを素データとして求めてもよい。以下、通常中のベースを単にベース、甘中のベースをＢＡとも言うことがある。
・平均Ｓ＝状態別のアウトに対する図柄変動数の割合で、通常（甘中）スタート÷ＢＯ（ＢＯＡ）の演算値を示す遊技情報（遊技機における入賞状況）
・平均Ｓ入賞＝状態別の始動入賞数の割合で、通常（甘中）Ｓ入賞÷ＢＯ（ＢＯＡ）の演算値を示す遊技情報
尚、以下では通常中の平均ＳをＳ、甘中の平均ＳをＳＡと言うことがある。
・有効率＝始動入賞数に対する図柄変動数の割合で、通常スタート÷通常Ｓ入賞の演算値を示す遊技情報
尚、通常だけでなく甘中の有効率を管理してもよい。
・ＢＹ＝図柄変動分を除いたベースで、通常（甘中）ベース−通常（甘中）平均Ｓ×始動賞球の演算値を示す遊技情報
・ＢＹmin＝始動入賞分を除いたベースで、通常（甘中）ベース−通常（甘中）平均Ｓ入賞×始動賞球の演算値を示す遊技情報
尚、始動賞球は始動入賞１回当りのセーフで、３にて演算している。
・Ｔ１Ｙ＝平均大当り中出玉数で、（Ｔ１セーフ−Ｔ１アウト）÷合計大当り数の演算値を示す遊技情報
Ｔ１Ｏ＝平均大当り中アウトで、Ｔ１アウト÷合計大当り数の演算値を示す遊技情報
尚、合計大当り数＝通常大当り数＋甘中大当り数である。
・特Ｔ１Ｙ＝特定大当りを対象としたＴ１Ｙで、（特Ｔ１セーフ−特Ｔ１アウト）÷特定大当り数の演算値を示す遊技情報（遊技価値の付与状況）
・特Ｔ１Ｏ＝特定大当りを対象としたＴ１Ｏで、特Ｔ１アウト÷特定大当り数の演算値を示す遊技情報
・出率＝アウトに対するセーフの割合（払出率、付与率）で、セーフ÷アウトの演算値を示す遊技情報
・Ｂサ＝通常時の差玉数で、ＢＯ−Ｂセーフの演算値を示す遊技情報
・客滞率＝売上玉に対するＢサの割合で、Ｂサ÷売上玉の演算値を示す遊技情報（特定情報）
・粗利＝遊技に応じた遊技場側の営業利益で、売上額−獲得玉×貸単価×原価率の演算値を示す遊技情報
尚、獲得玉（獲得価値）＝売上玉＋セーフ−アウトである。また、貸単価等は遊技場単位で設定すればよい。
・売上額＝売上玉×貸単価の演算値を示す遊技情報
尚、貸単価＝４円、原価率＝７５％にて演算している。
・玉単価＝アウト１当りの売上額で、売上額÷アウトの演算値を示す遊技情報
・玉粗利＝アウト１当りの粗利で、粗利÷アウトの演算値を示す遊技情報
・営業割数＝実際の売上額（売上玉）に対する遊技場側の損益額（損失玉）の割合で、獲得玉÷売上玉の演算値を示す遊技情報
尚、図４の「平均」は、機種AAAAを対象とした遊技機平均（図３の「合計」の対応値）である。
【００２４】
ここで、図５は、機種AAAAを対象としたスペック情報を示している。
スペック情報としては、図２で例示したＴＳ、ＴＳＡ及び継続回数（平均継続数）の他、ラウンド係数、アタッカ係数、始動賞球、貸単価、原価率が規定され、夫々のスペック値が設定されている。ここで、ＴＳ〜始動賞球は機種別に設定する必要がある。また、貸単価と原価率とは遊技場における各機種に対応したレート情報として設定されるが、遊技場や機種が同一でも異なる場合もあるので、そのようなレート情報があれば機種別等で適宜設定される。
【００２５】
上記のスペック情報は、管理装置５に予め設定されているものとする。また、スペック情報については、遊技者の遊技傾向により遊技機１のスペック情報から特定される期待値とは異なる期待値となる場合もあるので、後述するようにサーバ９にて統合して集計した遊技情報により特定してもよく、図５の少なくとも一部をサーバ９から配信される情報により設定可能としてもよい。
ここで、図５中、貸単価の値「４」円（後述する図２３の「４円Ｐ」）は、パチンコ機での遊技に使用される遊技媒体の単価としての第１単価であり、当該第１単価が設定される遊技機１は第１遊技機に相当する。また、貸単価の値１円（図２３の「１円Ｐ」）は、当該第１単価とは異なる第２単価であり、当該第２単価が設定される遊技機１は第２遊技機に相当する。
尚、スロットマシンについても、第１単価と第２単価があり（図２３の「２０円Ｇ」と「５円Ｇ」参照）、管理装置５において第１単価を設定することができるが、詳しくは後述する（図２３下側の（ｃ）「基準売単価設定」参照）。また、例えばパチンコ機の貸単価としては、４円や１円以外に２円や０．５円等もあり、第１単価や第２単価は、図２３等に示す値以外の値に設定可能であることは勿論である。
【００２６】
管理装置５或いは当該装置５の記憶部は、遊技機１の機種に関する機種情報を登録する機種登録手段として構成されており、機種情報としては、新台の機種名や、その機種が遊技場Ａに導入された日（以下「導入日」とも称す）等の情報を含む。また、サーバ９或いは当該サーバ９の記憶部も機種登録手段として構成されている。管理装置５やサーバ９は、夫々管理対象とする上記した各種の遊技情報について、機種情報と対応付けて管理し、蓄積する。尚、管理装置５やサーバ９において、機種情報と対応付けて管理する情報の蓄積期間は、例えば導入日を登録した機種について当該導入日（登録日）から１年間とする。
【００２７】
また、管理装置５は、管理対象とする遊技情報を集計する等して、その集計値を含む各種情報を出力する構成とされている。こうした、管理装置５における出力は、例えばモニタ７への表示やプリンタによる印字等で行われるものであるが、係る出力手段はモニタ７等に限定するものではない。
【００２８】
ところで、「背景技術」で述べたように、係る遊技情報の集計方法において、例えば単位期間を一週間に設定し、その単位期間毎の遊技情報の推移を確認したとすれば、比較的長い期間をかけて遊技機の撤去等の判断指標となる評価方法として非常に有益であるものの、例えば遊技場Ａに新規導入した所謂新台の評価方法としては不向きである。
また、例えば遊技場Ａにおいて上記した貸単価を変更した場合、その貸単価の変更前後で遊技情報を比較すれば、貸単価の変更による成果を把握可能にはなるが、機種の中には貸単価の高い所謂高貸よりも貸単価の低い所謂低貸の方が向いている機種、或いはその逆となる機種もあり、そのような機種を貸単価の変更前等のような、貸単価を変更すべき機種の選定時に把握したいとのニーズも少なくない。
【００２９】
そこで、本実施形態の遊技場用システムにあっては、遊技機１の機種情報と管理手段により管理される稼動情報とを比較することで、遊技機１が新台として導入された日に対応する初日の稼動情報に基づいて機種のランク分けを行い、そのランク分けの結果に基づき前記出力手段による出力対象となる対象機種を特定する構成としている。
また、貸単価の変更に関して、機種としては共通する第１遊技機と第２遊技機とにおける遊技情報の値の比率に基づき順位付けされる機種単位の順位を示す順位情報を特定し、その順位情報が予め設定される順位条件を満たすことで第１単価から第２単価へ貸単価の変更が推奨される変更推奨機種を特定可能な情報を出力する構成としている。
【００３０】
この点、前記管理手段としては、当該遊技場Ａに設置された遊技機１の遊技情報を管理対象とする個々の遊技場Ａ〜Ｃの遊技情報を管理対象とする個々の遊技場の管理装置５（第１管理手段）と、複数の第１管理手段で管理される遊技情報を管理対象とするサーバ９（第２管理手段）とを含み、全国の遊技場（遊技場Ａ〜Ｃを含む）の遊技情報をサーバ９で集計する等して求めた値（サーバ９から配信される値）を、管理装置５で用いることもできる。係る具体的な構成について、「１．新台評価」と「２．低貸移設推奨」との順に、図７以降の図面も参照しながら説明する。
【００３１】
＜１．新台評価＞
図７は、遊技場Ａの管理装置５において、モニタ７に表示されるパチンコ機の新台の対象機種（該当機種）に関する通知画面７１を示している。この通知画面７１は例えば、スロットマシンの新台の該当機種に関する通知画面（図示略）を含めたローテーション表示がなされる、サブウィンドウ画面であり、遊技場Ａ或いは市場（全国）に導入された新台について、管理装置５で管理される自店データ或いはサーバ９から送信される全国データ（全国標準値、乃至全国平均値）に基づく情報を通知するための画面である。
【００３２】
図７に示すように、通知画面７１には、新台の「機種名」と、その機種の「台遊技時間」とが表示される。台遊技時間は、アウト信号のような稼動信号を入力した際に所定期間作動する所謂稼動タイマの作動期間として求められる遊技時間である。或いは、機種単位で特定した基準アウト（単位期間当りのアウト（例えば１時間当りのアウト＝５０００））と実際のアウト（アウト５００００の場合１０時間）とに基づき台遊技時間を特定してもよい。また、複数の機種で統一した基準アウト（例えば１時間当りのアウト＝６０００）を用いて台遊技時間を特定してもよい。
【００３３】
通知画面７１は、新台の導入初日の台遊技時間が、後述する図１３の台遊技時間マトリクスにおける「全国」で「Ｓ」又は「Ａ」ランク（同図上欄のランク）に該当する機種を表示し、該当機種が複数ある場合には、代表機種（設定台数が１番多い機種）を表示する。また、図７の「機種名」の欄７２において、台遊技時間と併せて表示される「○位／○中」の順位は、当該台遊技時間に関して前記ランクに応じた順位を表すものであるが、ランク或いはランク分けについて詳しくは後述する。
【００３４】
通知画面７１下側の欄７３には、該当機種についての「アウト」「台遊技時間」「玉粗利」「台粗利」が表示される。このうち、玉粗利は図４で説明した通りで、台粗利は図４で「粗利」として説明した遊技情報となる。同通知画面７１を、キーボード６やマウス等を用いてクリックする入力操作（以下「クリック操作」と称す）を行うと、図８に示すように、該当機種の遊技情報の一覧表８１と推移グラフ８２とを示す画面が、モニタ７上でポップアップ表示される。
【００３５】
図８の一覧表８１では、パチンコ機の新台の該当機種を例えば１０機種表示し、機種名「○○」は、機種AAAA，BBBB，…といった具体的な機種名を表すものとする。また、一覧表８１では、ハイミドル、ミドル、…といった「タイプ名」、「アウト」、「台遊技時間」、「台数」、「玉粗利」、「台粗利」の夫々について、サーバ９から取得した全国データの値（同図の網掛けの欄の値）と、自店データの値（網掛けでない欄に表される当該遊技場Ａでの値）とを上下に並べて表示する。
【００３６】
ここで、管理装置５は、遊技場Ａに新台の該当機種が導入されていない場合、一覧表８１において、全国データのみを表示させる。つまり、管理装置５は、自身の記憶部に記憶されている機種情報に基づき、該当機種が遊技場Ａに導入されていないと判定したとき、一覧表８１において、遊技場Ａで未導入の機種の欄をブランクとする。
【００３７】
尚、図８の一覧表８１や推移グラフ８２による表示対象、つまり管理装置５による出力対象は、全国データと自店データとの夫々の稼動情報を用いてランク分けを行い、そのランク分けの結果に基づき特定された該当機種に関する遊技情報である。
【００３８】
図８の推移グラフ８２は、横軸が日数「１（初日），２，…，７」、縦軸が台遊技時間「０〜１０」（アウトでもよい）に設定されており、代表機種並びにこれと同じ「タイプ名」の比較機種についての台遊技時間の推移を表す。同図に示すように、推移グラフ８２は、最大で「７」日目まで（後述の判定対象期間に相当）の日数分について、導入日から通知画面７１による通知日までの台遊技時間を折れ線グラフで表わすものとする。
【００３９】
そして、代表機種が遊技場Ａに導入されている場合には、その代表機種の台遊技時間の自店データ（グラフ８２右側の欄８３の符号(i)参照）及び全国データ（符号(ii)参照）と、代表機種よりも前記ランクの順位で１ランク上位機種及び１ランク下位機種となる比較機種夫々の台遊技時間の全国データ（符号(iii)及び(iv)参照）と、の(i)〜(iv)の４種類の台遊技時間推移を比較可能に表示出力する。
【００４０】
代表機種に対して１ランク上位機種が無い場合は、(iv)の１ランク下位機種と図示しない２ランク下位機種とを表示させる。代表機種に対して１ランク下位機種が無い場合は、(iii)の１ランク上位機種と図示しない２ランク上位機種とを表示させる。また、代表機種が遊技場Ａに導入されていない場合には、(ii)〜(iv)の３種類の台遊技時間推移を表示する。こうした上位機種或いは下位機種の機種名は、グラフ８２右側の欄８３に表示される。
【００４１】
(i)〜(iv)のデータの台遊技時間推移のうち、自店データ(i)は、管理装置５により管理される稼動情報の推移を示す第１推移情報に相当し、(ii)〜(iv)の全国データは、サーバ９により管理される稼動情報の推移を示す第２推移情報に相当する。また、管理装置５は、特定手段としての当該装置５或いはサーバ９により特定された該当機種における自店データ(i)と全国データ(ii)との夫々の台遊技時間推移を、当該推移情報の出力対象となる該当機種のランク、及び当該ランクに応じた順位の少なくとも一方に近似、或いは一致する機種の稼動情報の推移を示す全国データ(iii)及び(iv)の夫々の台遊技時間推移と比較可能に出力するものといえる。
詳しくは後述するが、ランク付けは台遊技時間に応じて行われ、図９の「順位」はランクに応じた台遊技時間の降順による順位を表す。それ故、全国データ(iii)及び(iv)を示す、該当機種のランク及び順位の少なくとも一方に近似する或いは一致する機種は、稼動情報に関して予め設定される近似条件（例えば近似範囲を設定するといったように順位やランク等が近似し若しくは一致するという条件）を満たす機種であり、その条件に見合う機種を近似する機種として、稼動情報の推移を表す。
【００４２】
また、図８の一覧表８１左側のチェックボックス８１ａにおいて、任意の機種を選択するクリック操作が行われると（同図の「レ点」参照）、推移グラフ８２は、その選択された機種（選択機種）の自店データ(i)及び全国データ(ii)、並びに当該選択された機種の上位機種の全国データ(iii)及び下位機種の全国データ(iv)の、夫々の台遊技時間推移を表すグラフ（図示略）に自動的に切替わる。
【００４３】
推移グラフ８２は、その右下隅の「閉じる」釦８４ａのクリック操作を行うと、推移グラフ８２を表示せずに一覧表８１のみを表示する画面（図示略）に切替わる。この場合、例えば一覧表８１で表示する新台の機種数が、１０機種を超えるとき、その超過分の機種一覧を推移グラフ８２に替えて表示させることができ、又、図示しないスクロールバーを用いたスクロール表示により、全該当機種を表示させることができるものとする。更に、一覧表８１上側の「パチスロ」釦８５のクリック操作を行うと、スロットマシンについての一覧表８１と推移グラフ８２を表す画面（図示略）に切替わり、その画面のバチンコ釦（図示略）のクリック操作を行うと、パチンコ機についての一覧表８１と推移グラフ８２を表す元の画面に切替わる（復帰する）。
【００４４】
図８における推移グラフ８２右側の「比較機種選択」釦８４ｂのクリック操作を行うと、図９の比較機種選択画面９１に遷移する。比較機種選択画面９１では、上記した選択機種（機種選択がなされていない場合には代表機種）と同タイプの機種が比較機種として一覧表示される。また、比較機種選択画面９１では、台遊技時間の降順の順位付けで「機種名」が表示されるとともに、夫々の機種に対応する「アウト」「台数」「台遊技時間」「台粗利」「総合貢献週」が表示される。「総合貢献週」は、例えば対応する機種について稼動情報等の値から貢献したと判断される週が表される。
【００４５】
比較機種を選択する場合、画面９１左側のチェックボックス９１ａにおいて、例えば２機種（１機種でもよい）の比較機種を選択するクリック操作を行う。選択した比較機種は、「キャンセル」釦９２のクリック操作で取消し、「ＯＫ」釦９３のクリック操作で決定する。
【００４６】
これにより比較機種を決定すると、図９の比較機種選択画面９１から図１０の一覧表１０１と推移グラフ１０２を表す画面に遷移する。推移グラフ１０２では、決定した比較機種が２機種ある場合、同グラフ１０２右側の欄１０３において、「選択１の機種」及び「選択２の機種」として比較機種の機種名が表示されるとともに、夫々の比較機種の台遊技時間推移が（符号(iii)及び(iv)参照）、前記上位機種及び下位機種の台遊技時間推移に替えて表示される。尚、図１０の一覧表１０１は、図８の一覧表８１と同じである。
【００４７】
続いて、サーバ９や管理装置５によるランク分けや、該当機種の特定方法について説明する。前記サーバ９及び管理装置５は、図１１や図１２に示すランク分けの判定テーブルを用いて機種のランク分けを夫々行うランク分け手段として構成されている。
ここで、図１１の判定テーブルは、（ａ）のパチンコ機と（ｂ）のスロットマシンとの夫々の台遊技時間を対象として、サーバ９によりＳ，Ａ，Ｂ，Ｃ，Ｄの５段階のランクに振り分ける範囲をタイプ別に設定したものである。同様に、図１２の判定テーブルは、（ａ）のパチンコ機と（ｂ）のスロットマシンとの夫々の台遊技時間を対象として、管理装置５によりＳ〜Ｄのランクに振り分ける範囲をタイプ別に設定したものである。
【００４８】
尚、図１１や図１２の判定テーブルにおける台遊技時間の範囲（閾値による区分）は、その閾値が高い方から（つまり降順で）Ｓ，Ａ，Ｂ，Ｃ，Ｄのランク順、つまり稼動貢献が見込めるランク（Ｓ＞Ａ＞Ｂ＞Ｃ＞Ｄ）の順に設定されるものとする。また、図１１の判定テーブルにおける「検知」は、Ｓ〜Ｄのランク別且つタイプ別に、コメント設定に係る検知の有無（後述する「２日目判定」以降のコメント表示の有無）をサーバ９において設定するためのものである。
【００４９】
また、本実施形態において、ランク分けは、新台の導入日に対応する判定対象期間の開始日である初日の台遊技時間に基づき行われる。即ち、新台の導入日は、暦上の月曜日であるが、その導入日の営業開始時間が例えば午後３時となる等、時間短縮営業が多いため（判定対象から除外するため）、ランク分けは原則として導入日の翌日たる火曜日を初日（導入初日）として判定する（後述の図１６（ａ）参照）。また、新台の導入日は、暦上の月曜日が祝日の場合或いは国の行事等により所轄による検査を受けられない場合、火曜日にずれることがあり（図１６（ｂ）参照）、このような場合には翌日水曜日を導入初日として判定する。尚、本例では上記事情により実際の導入日の翌日を初日としたが、導入日に対応していれば実際の導入日を初日としたり、導入日の翌日も時間営業等の傾向があるため敬遠すべく導入日の翌々日を初日としたりする等、適宜、初日の特定方法を変更してもよい。
【００５０】
そして、サーバ９は、前記機種情報から特定される導入初日の機種について、台遊技時間をタイプ別に集計して求めるとともに、求めた台遊技時間が図１１の判定テーブルのうちのＳ〜Ｄの何れの範囲のランクに該当するかを判定する。つまり、サーバ９は、自身の記憶部に記憶されている機種情報と自身９が管理する台遊技時間（稼動情報）とを比較することにより、導入初日の全国の稼動情報で機種のランク分けを行う。
また、管理装置５は、自身の記憶部に記憶されている機種情報と自身５が管理する台遊技時間（稼動情報）とを比較することにより、自店導入初日の稼動情報に基づいて機種のランク分けを行う（図１２参照）。
【００５１】
これにより、一の遊技場Ａにおいて、導入されている機種についてのランク分けを、当該遊技場Ａの管理装置５により管理される稼動情報とサーバ９により管理される稼動情報とに基づき、図１３の台遊技時間マトリクスを用いて行うことができ、当該遊技場Ａに導入されていない機種についてのランク分けをサーバ９により管理される稼動情報に基づき行うことができる（図１１、図１３参照）。
【００５２】
具体的には、図１３の台遊技時間マトリクスにおいて、上側の「全国」の「Ｓ〜Ｄ」は、図１１の判定テーブル中のランクＳ〜Ｄに対応する。また、同マトリクスにおける左側の「自店」の「Ｓ〜Ｄ」は、図１２の判定テーブル中のランクＳ〜Ｄに対応し、「無(Ｚ)」は、当該遊技場Ａに未だ機種が新台として導入されていない場合のランクを表す。よって例えば、自店で「Ｓ」ランクにランク分けされた機種は、更に全国のランク「Ｓ〜Ｄ」を加味した「ＳＳ，ＳＡ，ＳＢ，ＳＣ，ＳＤ」の順にランク分けと順位付けを行うことができる。
【００５３】
同様に、「自店」で「Ａ〜Ｄ，無(Ｚ)」ランクにランク分けされた機種も、夫々全国のランク「Ｓ〜Ｄ」を加味した「ＡＳ〜ＡＤ，ＢＳ〜ＢＤ，ＣＳ〜ＣＤ，ＤＳ〜ＤＤ，ＺＳ〜ＺＤ」の順にランク分けと順位付けを行う。これにより、当該遊技場Ａに未導入の機種を含めたマトリクス評価を行うことができ、その評価結果に基づき該当機種を特定することができる。
【００５４】
これにより、図７に示した通知画面７１の如き通知画面（初日用の通知画面）において、マトリクス評価のランクの順位に応じたコメントを併せて表示させる。例えば、サーバ９や管理装置５は、図１４に示すように順位毎に夫々異なる複数種類のコメントが対応付けられた第１コメントテーブルを予め記憶している。この第１コメントテーブルを利用して、タイプ別の順位が１位から３位に該当する機種については、複数種類のコメントのうちの何れかをランダムに抽出してモニタ７上の通知画面で表示させることができる。
【００５５】
尚、係る順位付けは、サーバ９や管理装置５に蓄積された過去の新台に係る稼動情報を含めて（過去に新台として導入された機種を含めて）タイプ別に行われることから、その順位付けの対象となる機種数がある程度必要となる。そこで、サーバ９や管理装置５では、タイプ別に順位付けする対象機種数が少ない場合にコメントの表示を抑制すべく、予め最低機種数（例えば１０）が設定され、その設定機種数に達したことを条件にコメントの表示を行うものとする。
【００５６】
また、導入初日の稼動情報に基づき通知する初日用のコメントについては、マトリクス評価のランク分けに応じた第２コメントテーブルが予め記憶されている。第２コメントテーブルはタイプ毎に設定されていて、図１５は、ハイミドルのパチンコ機についての第２コメントテーブルを示している。同図に示すように、第２コメントテーブルでは、「ＳＳ」〜「ＳＤ」に夫々対応付けられたコメントが設定されており、例えば「ＳＳ」にランク分けされた機種では「自店でもうまく活用できています。長期の稼動貢献が期待できます！」と表示させる。尚、図１５でブランクの「ＢＳ」等にランク分けされた機種では、コメントを表示しない。
【００５７】
上記した図１４や図１５は、初日用のコメントであるが、図１８は、２日目以降用のコメントである。
ここで、初日と２日目以降の判定対象期間の処理内容ついて、図１６（ａ）〜（ｃ）も参照しながら説明する。尚、図１６（ａ）は、新台の導入日（同図で「新台登場」の月曜日）が祝日でなく且つ火曜以降の一週間も祝日がない場合、図１６（ｂ）は、同図にて丸で囲った「月」曜日が祝日の場合、図１６（ｃ）は、同図にて丸で囲った木曜日が祝日の場合、を例示している。
【００５８】
図１６（ａ）に示すように祝日がない場合、火曜日を初日として翌日水曜日に「全国データ公開」と「初日判定」とがなされる。即ち、「全国データ公開」に関して、サーバ９は各遊技場における導入初日の台遊技時間等の稼動情報を集計し、水曜日の営業開始前には、その稼動情報を含む全国データを各遊技場に配信する。また、「初日判定」に関して、上記したように管理装置５とサーバ９とで導入初日の台遊技時間を基にランク付けした結果により、図１３で説明したマトリクス評価を行い、水曜日の営業開始前には、モニタ７上でその新台の機種の通知に併せて初日用のコメント（図１４，図１５参照）を表示させることができる。
【００５９】
また、図１６（ａ）の「２日目判定」〜「翌月曜判定」では、所定の基準情報として、前記初日からの経過日数に応じた第１基準情報と、暦上の土曜日及び日曜日の少なくとも一方に対応した第２基準情報とを用いた判定が行われる。具体的には、サーバ９や管理装置５では、図１７に示すように、台遊技時間変動率の判定基準として、「２日目」〜「翌月曜日」の夫々に対応した閾値(％)が予め設定されている。
【００６０】
同図に示すように、「２日目」「３日目」「４日目」及び「翌月曜日」は、第１基準情報としてその判定対象期間が経過するにつれ「min」又は「max」の閾値が低くなるように設定されている。これに対し、「土曜日」及び「日曜日」は、第２基準情報として判定対象期間の経過に関わりなく「min」と「max」との閾値が比較的高い値（２日目の閾値と同じ値）に設定されている。尚、図１７の判定基準は、タイプ毎に設定されるものであり、一のタイプの判定基準の一例を示している。また、判定基準となる第１基準情報及び第２基準情報は、夫々の設定手段としての管理装置５或いはサーバ９により、設定できるものとする。
【００６１】
これにより、２日目以降は、台遊技時間変動率を、前日アウト÷当日アウトにより求め、初日のランクが全国データにて「Ｓ」又は「Ａ」ランク（図１３上欄のランク）になった機種を対象として（自店データでのランク分けに関わりなく）、当該遊技場Ａにおいて、該当機種（或いは代表機種）が導入されていれば自店データと全国データとの双方により、該当機種が導入されていなければ全国データにより、当該台遊技時間変動率を特定する。
【００６２】
こうして、２日目以降、特定された台遊技時間変動率は営業日単位の遊技情報として、図１７の判定基準と比較することで、その比較結果に応じたコメントを（図１８参照）、図７の通知画面７１で該当機種の機種名と併せて表示させることができる。
例えば、遊技場Ａに該当機種が導入されていないケースでは、その該当機種がパチンコ機であれば、図１８（ａ）のコメントが表示され、該当機種がスロットマシンであれば、同図（ｂ）のコメントが表示される。他方、遊技場Ａに該当機種が導入されているケースでは、その該当機種がパチンコ機であれば、同図（ｃ）のコメントが表示され、該当機種がスロットマシンであれば、同図（ｄ）のコメントが表示される。
【００６３】
図１８（ａ）〜（ｄ）に示すように、２日目以降用のコメントは、夫々のケース（該当機種導入の有無）に対応した内容となっており、又、何れも図１７の判定基準を基に、台遊技時間変動率が「min」以下の場合と「max」以上の場合との条件に応じた内容で表示されるため、新台評価に関して好適なコメント内容を提示することができる。
【００６４】
尚、図１８（ａ）〜（ｄ）では便宜上、一のタイプ（パチンコ機ではハイミドル、スロットマシンではノーマル）のコメントを例示しているが、こうしたコメントがタイプ別に設定されているものとする。また、図１７の判定基準の閾値として、２日目は85(％)と100(％)とを設けているが、もう１つ閾値（例えば70(％)）を設ける等、３段階以上の区分を設け、その区分の何れに属するかにより対応するコメントを表示するようにしてもよい。この場合、70(％)以下の条件に応じたコメント内容は、例えば「稼動貢献は期待できません」等と設定してもよい。
【００６５】
ここで、「２日目判定」以降、図１６（ａ）の如く祝日がない場合、「３日目判定」「４日目判定」「土曜判定」「日曜判定」「翌月曜判定」は、この順の経過日数或いは土・日曜日といった曜日に対応した、図１７の判定基準の閾値（「判定閾値」とも称す）が、そのまま適用される。
【００６６】
もっとも、図１６（ｂ）に示すように月曜日が祝日であれば、新台登場が１日遅れるため、図１７の判定閾値をそのまま適用したとすれば、遊技場における土・日曜日の実態に合わない判定結果となる虞がある。そこで、遊技場Ａにおいて水曜日に初日がずれこんだ場合、前記所定の基準情報の対象となる営業日を営業日単位で遅延する遅延処理が行われる。具体的には、図１６（ｂ）に示すように、「初日」以降の「判定」は、初日が営業日単位でずれこむ（同図で右側にずれる）ことに伴い、判定に係る基準情報も営業日単位で遅延するようにシフトさせる遅延処理が実行される。
【００６７】
このため、管理装置５（遅延手段）においては、係る遅延処理が行われることで、第１基準情報と第２基準情報とに対応する営業日が生じた場合、つまり土曜日が４日目となって第１基準情報たる「４日目」の判定閾値と第２基準情報たる「土曜日」の判定閾値とが同じ営業日で重畳する場合、第２基準情報を優先して用いられた比較結果に基づき上記コメントを表示出力する。こうして、図１６（ｂ）に示すように月曜日が祝日でも、土・日曜日は、図１７の土・日曜日用の判定閾値で判定が行われ、翌月曜日は、図１７の翌月曜日用の判定閾値で判定が行われることとなる。
【００６８】
他方、図１７（ｃ）に示すように月曜以外の平日（例えば木曜祝日）が暦上の祝日にあたる場合には、管理装置５（出力手段）において、前記比較による判定（同図でブランクとなっている「３日目判定」に相当）を抑制する。このため、「３日目判定」の比較結果に基づくコメントも、通知画面７１（図７参照）で表示されないが、その通知画面７１による通知（表示）自体はなされる。
【００６９】
上記の遊技場Ａにて水曜日に該当機種が導入されたものとする。この場合、当該遊技場Ａでは木曜日が初日となるが、前記全国データにより、原則通り火曜日を初日つまり図１６（ａ）の「全国データ公開」に合せた「初日判定」と翌日の「２日目判定」とが行われ、導入後は自店データと全国データとの双方により、「３日目判定(即ち、木曜日分の判定)」以降の判定が行われる。それ故、このケースでは、遅延処理が行われることがなく、その経過日数或いは曜日に対応した図１７の判定閾値がそのまま適用される。
【００７０】
上記のコメントは、台遊技時間或いはアウトに関する判定結果に基づくものであるため、図７の通知画面７１で通知する際には、その画面７１の「アウト」や「台遊技時間」を表す欄７３に付記することができる。また、コメントとしては、玉粗利に関する判定結果に基づき、通知画面７１の「玉粗利」を表す欄７３にその玉粗利に関するコメントを付記するようにしてもよい。
【００７１】
例えば、図１９に示すように玉粗利の判定基準として、（ａ）のパチンコ機のタイプ別に対応した閾値と、（ｂ）のスロットマシンのタイプ別に対応した閾値とが予め設定されている。同図に示すように、玉粗利の判定基準の閾値（「判定閾値」とも称す）は、「＞0.60（0.60に達している）」とする条件「１」と、「＞0.40」とする条件「２」と、「＜0.10（0.10に達していない）」とする条件「３」と、「＜0.00」とする条件「４」と、を規定する４つの値に設定されている。尚、説明の便宜上、玉粗利の判定閾値は、各タイプで共通の値を示しているが、相互に異なる値に設定することができるのは勿論である。
【００７２】
そして、管理装置５において、「初日判定」に際し該当機種が当該遊技場Ａに導入されていなくても、全国データにより特定される玉粗利と判定閾値とを比較して、条件「１」〜「４」に対応する、初日用のコメントを表示させる（図２０（ａ）参照）。同図に示すように、初日用のコメントは、「辛い」或いは「甘い」調整といった全国的な運用について、その程度を４段階に区分した内容で表わされる。
【００７３】
また、「２日目判定」以降は、全国データにより特定される玉粗利と判定閾値とを比較して、前日の条件「１」〜「４」とは別の条件「１」〜「４」に該当すると判定された場合（前日と本日とで条件が変わった場合）、該当する条件のコメントを表示させる（図２０（ｂ）参照）。同図に示すように、２日目以降用のコメントは、全国的に運用が変わったとき、その程度を４段階に区分した内容で表わされる。
【００７４】
こうして、管理装置５において、判定対象期間の玉粗利に係る「１」〜「４」の条件に応じて、初日用のコメント或いは２日目以降用のコメントを通知画面７１で表示させることができる。
また、管理装置５において、「初日判定」に際し該当機種が当該遊技場Ａに導入されている場合には、当該遊技場ＡのＳＰ玉粗利（理論玉粗利）を用いた比較による判定を行い、その比較結果に応じたコメントを通知画面７１で表示させる。ここで、ＳＰ玉粗利について説明しておく。
【００７５】
ＳＰ玉粗利とは、前述した図５のようなスペック情報通り（例えば通常状態にてＴＳ分のスタートを得た場合に初当りが発生し、その後に通常状態に戻るまでには平均継続数分の大当りが発生する等）に大当りや甘中等の有利状態が発生した場合といった、スペック通りに遊技結果が得られたと仮定した場合の、遊技情報である理論値の１つ（玉粗利）に相当する。大当り状態等は抽選により発生の有無が特定されるため、その抽選に偏りが生ずる図３で説明した実績値と必ずしも近似する値にはならない（図６参照）。この点、図６は、図４で説明した機種AAAAのパチンコ機について、図５の「スペック情報」を設定し、「基データ」を特定した上で、それらにより特定される当該遊技機１のデータに基づき抽選等の偏りが生じずに大当り等の有利状態が発生した場合における出率等の理論値の一例を示しており、その定義や演算式を示している。図６の「基データ」は、図３、図４のような集計に対して指定した参照期間における平均値を示しており、参照期間を複数日とすることで安定した遊技情報が得られる。図６の「理論値」は、前記スペック情報と基データとに基づく理論値として特定される。「ＳＰ玉粗利」とは同図に示されるような「理論値」における「玉粗利」を称するものであり、大当りの発生の偏りに影響を受けない玉粗利（粗利÷アウト）である。
【００７６】
このように、ＳＰ玉粗利は、一の遊技場Ａにおいて営業日単位の遊技情報として遊技機１が遊技場Ａに与えた利益を示す利益情報として集計することができ、当該遊技場Ａの管理装置５により管理される利益情報ということができる。これに対し、図２１（ａ）に示すように、ＳＰ玉粗利と比較対象となる、玉粗利指標は、前記原価率を考慮した再プレイによる損益を考慮した理論上の玉粗利（実績値、理論値のどちらでも採用可能）であり、前記所定の基準情報としてサーバ９により管理される利益情報に相当する。
尚、利益情報として一の遊技場ＡではＳＰ玉粗利、全国データでは玉粗利指標を採用することを例示したが、いずれかの同一の利益情報により比較したり、一の遊技場Ａでは玉粗利指標、全国データではＳＰ玉粗利とするといったように双方を入替えて比較したり、更には理論情報ではなく実際の玉粗利により比較する等、どのような利益情報を採用してもよい。
【００７７】
同図２１（ａ）は、一の遊技場ＡにおけるＳＰ玉粗利の自店データの値と玉粗利指標の全国データの値との比較による判定の結果に応じて予め設定されたコメントを示している。同図では、「全国＞＞自店（玉粗利指標がＳＰ玉粗利よりも大きく、その差も大きい）」とする条件「１」と、「全国＞自店（玉粗利指標がＳＰ玉粗利よりも大きい）」とする条件「２」と、「全国≒自店（玉粗利指標とＳＰ玉粗利とが略同じ）」とする条件「３」と、「全国＜自店（玉粗利指標よりもＳＰ玉粗利が大きい）」とする条件「４」と、「全国＜＜自店（玉粗利指標よりもＳＰ玉粗利が大きく、その差も大きい）」とする条件「５」と、を規定している。
【００７８】
そして、管理装置５において、判定対象期間のＳＰ玉粗利と玉粗利指標との比較により、図２１（ａ）の「１」「２」「４」「５」の何れかの条件に該当すると判定された場合、対応するコメントを通知画面７１で表示させることができる。尚、管理装置５では、図２１（ｂ）に示すように、玉粗利指標の値とＳＰ玉粗利の値との差の設定を任意に変更する入力操作を行うことができ、その差を「0.10」円に設定した場合には、図２１（ａ）の条件「１」〜「５」相互間における夫々の差（閾値）が「0.10」きざみとなるように設定することができる（図２１（ｂ）参照）。
【００７９】
以上のように、「初日判定」に係る図７の通知画面７１は、新台の導入に伴い必ず表示され、その後の「２日目判定」以降は、図１７の判定基準を基に台遊技時間変動率が「min」以下の場合並びに「max」以上の場合に通知画面７１で通知し、こうした通知画面７１において各種コメント（各種の基準情報との比較結果）を提示することができる。また、通知画面７１に対するクリック操作により、図８の一覧表８１や推移グラフ８２を表示させることができる。
また、管理装置５において、マトリクス評価といった稼動評価に応じて、「２日目判定」以降の通知をタイプ別に抑制する（通知画面７１で通知しない）設定が可能に構成してもよい。
【００８０】
＜２．低貸移設推奨＞
図２２は、管理装置５において、モニタ７に表示されるパチンコ機の貸単価の変更が推奨される変更推奨機種に関する通知画面２２１を示している。この通知画面２２１は、例えば所謂高貸よりも貸単価の低い所謂低貸の方が向いている機種を、自店データと全国データとに基づき通知するための画面であり、スロットマシンの変更推奨機種に関する通知画面（図示略）も用意されている。
【００８１】
図２２に示すように、通知画面２２１には、変更推奨機種の「機種名」とともに、その機種の「アウト」と「台粗利」とが表示され、又「低貸の方が業績貢献の可能性があります！」とのメッセージが表示される。この場合、変更推奨機種について、通知画面２２１で具体的な貸単価、つまり「４円」から「１円」への変更が推奨される旨を明示してもよい。
【００８２】
通知画面２２１は、変更推奨機種が複数ある場合には、代表機種（設定台数が１番多い機種）を表示する。そして、通知画面２２１のクリック操作を行うと、図２３に示すように、代表機種を含む変更推奨機種の候補となる機種の一覧表２３１と推移グラフ２３２とを示す画面が、モニタ７上でポップアップ表示される。
【００８３】
即ち、一覧表２３１と推移グラフ２３２は、図２３（ａ）に示すパチンコ機用のものと、図２３（ｂ）に示すスロットマシン用のものとがある。同図に示すように、一覧表２３１と推移グラフ２３２はパチンコ機とスロットマシンとで同様の表示内容とし、又、係る機種の特定方法もパチンコ機とスロットマシンとで同様の特定方法が採用されていることから、以下では、パチンコ機の変更推奨機種並びにその候補となる機種を中心に説明する。
【００８４】
図２３（ａ）の一覧表２３１では、パチンコ機に係る変更推奨機種の候補となる「機種名」「アウト」及び「台粗利」と、該当する「タイプ名」とが夫々表示される。このうち、「アウト」は、管理装置５の自店データとして求められた第１貸単価「４円Ｐ」の機種夫々のタイプ別の当該アウトの値と、サーバ９から送信された第２貸単価「１円Ｐ」の機種夫々のタイプ別の当該アウトの値と、で示される。同様に、「台粗利」は、管理装置５で管理される「４円Ｐ」の機種夫々のタイプ別の当該台粗利の値と、サーバ９から送信される「１円Ｐ」の機種夫々のタイプ別の当該台粗利の値と、で示される。
【００８５】
即ち、同図に示される変更推奨機種の候補となる機種は、これを特定する遊技場Ａにおいて、「４円Ｐ」の第１遊技機としては設置される一方、「１円Ｐ」の第２遊技機としては設置されていない機種である。このように、管理装置５は、当該遊技場Ａにおいて登録されている前記機種情報と貸単価とを対応付けて遊技機１を管理しており、移設元となる「４円Ｐ」として設置され且つ移設先となる「１円Ｐ」に設置されていない機種を抽出する。
【００８６】
また、同一覧表２３１において変更推奨機種の候補となる機種は、管理装置５により抽出した「４円Ｐ」の機種について、アウトと台粗利とが、夫々の自店データの平均値（当該遊技場Ａ全体での夫々の基準値）を下回る機種を、一週間単位で特定したものである。換言すれば、当該遊技場Ａに対応する管理装置５の管理対象となる台粗利（利益情報）が予め設定される基準利益条件（「台粗利＞基準値」の条件）を満たさないとともに、同じく管理装置５の管理対象となるアウト（稼動情報）が予め設定される基準稼動条件（「アウト＞基準値」の条件）を満たさない機種を対象として、変更推奨機種の候補となる機種を抽出し、一覧表２３１として出力する。
【００８７】
他方、一覧表２３１における、アウトと台粗利との欄夫々における「１円Ｐ」は、前記候補となる機種及びタイプが一致する機種について、サーバ９から送信された夫々の値を表すが、詳しくは後述する。
【００８８】
一覧表２３１左側のチェックボックス２３１ａにおいて、任意の機種を選択するクリック操作が行われると（同図の「レ点」参照）、その選択された機種の推移グラフ２３２が、一覧表２３１の下側に表示される。
推移グラフ２３２について、詳しい図示は省略するが、期間を横軸（第１週、第２週、…第８週）、アウト及び台粗利を縦軸としている。また、推移グラフ２３２は、アウトを棒グラフ、台粗利を折れ線グラフとして、変更推奨機種の候補となる機種のアウト及び台粗利の推移を、「４円Ｐ」と「１円Ｐ」との双方について８週間分表すものとする。この８週分は導入週を起点とした経過期間としてもよいし、現時点を起点として遡った期間としてもよい。
【００８９】
尚、図２３（ｃ）に示すように、管理装置５においては、「基準売単価」として４円Ｐ或いは２０円Ｇに対応する、第１単価の値の範囲を夫々設定することができる。つまり同図（ｃ）の「個」の欄は、パチンコ機の第１単価の設定範囲として４円Ｐを含む「4.00〜4.40円」を表わし、「枚」の欄は、スロットマシンの第１単価の設定範囲として２０円Ｇを含む「20.00〜22.00円」を表わす。同様に、図示は省略するが、第２単価としては１円Ｐを含む「1.00〜1.20円」や５円Ｇを含む「5.00〜6.00円」を設定範囲と定めて、前記移設先としてアウトや台粗利を求めることができるが、両者を入替えて例えば１円Ｐに対応する設定範囲を第１単価、４円Ｐに対応する設定範囲を第２単価とする等して、１円Ｐから４円Ｐへの移設を対象としてもよい。
【００９０】
他方、図２４（ａ）（ｂ）は、サーバ９側で管理される全国データに基づき抽出（ピックアップ）される変更推奨機種について、そのピックアップ最大順位を「１０」とし（同図（ｂ）の上欄参照）、前記設定範囲に含まれる「４円」Ｐの第１遊技機を前記移設元、「１円」Ｐの第２遊技機を移設先とした場合の説明図を示している。
ピックアップ最大順位は、デフォルト値として例えば１０位に設定され、管理装置５側ではデフォルト値を変更不能とする。これにより、図２４（ｂ）の一覧表２４１右側の網掛け部分で示すように、１０位までの変更推奨機種（BBBB〜DDDD，FFFF，GGGG，JJJJ〜MMMM，QQQQ，WWWW）がピックアップされるようになっている。
【００９１】
ここで、サーバ９は、図２４（ａ）に示すように「種別平均アウト」と「種別平均台粗利」とを一週間単位で特定する。「種別」とは、貸単価に基づく種別グループを称するものであり、例えば１円や１．２円の貸単価の機種をグループ化した同図（ａ）の「１円」の第２遊技機、及び前記設定範囲に含まれる機種をグループ化した「４円」の第１遊技機を対象としている。
【００９２】
また、「種別平均アウト」における、「４円」及び「１円」の値は、夫々の種別の全国データ（夫々のアウトの平均値）として求められ、「比率」の値は、当該「１円」のアウトの平均値を当該「４円」のアウトの平均値で除して求められる。また、「種別平均台粗利」における、「４円」及び「１円」の値は、夫々の種別の台粗利の平均値として求められ、「比率」の値は、当該「１円」の台粗利の平均値を当該「４円」の台粗利の平均値で除して求められる。
【００９３】
そして、全国データに基づく変更推奨機種のピックアップに際し、先ず前提として図２４（ｂ）に示す機種AAAA〜0000は、少なくとも遊技場Ａの導入台（自店導入台）であるものとする。つまり、サーバ９は、図２４（ｂ）の順位等の特定を、自店導入台等に応じた適正数について行うために、管理装置５から送信される自店導入台の情報に基づき、機種AAAA〜0000をリストアップした同図の一覧表２４１を生成する。自店導入台の情報には、前記変更推奨機種の候補となる機種の情報も含まれる。
次いで、サーバ９は、同一覧表２４１の「１円」の種別における、「台粗利」の値が種別平均台粗利（1,573）より低い値（網掛け部分の値）を示す機種を、抽出対象から除外する（同図のピックアップ「除外」参照）。換言すれば、第２遊技機における台粗利（利益情報）が予め設定される利益条件（「台粗利＞1,573」の条件）を満たすことで、貸単価の変更により当該平均値（1,573）分以上の利益（特定の利益）が見込まれる機種を変更推奨機種の対象とする。
【００９４】
これにより、少なくとも変更推奨機種の対象外とならなかった機種について、「４円」の種別のアウトに対する「１円」の種別のアウトの「比率」を求める（一覧表２４１の左半部参照）。同様に少なくとも当該対象外とならなかった機種について、「４円」の種別の台粗利に対する「１円」の種別の台粗利の「比率」を求める（一覧表２４１の右半部参照）。この場合に求める遊技情報の値の比率については、アウトに代えて台遊技機時間といった他の稼動情報の値の比率、或いは台粗利に代えて玉粗利やＳＰ玉粗利といった他の利益情報の値の比率を用いるようにしてもよい。
尚、図２４では対象外となった機種をアウトについては含む一方、台粗利については含まずに順位を特定しているが、アウトについては含まず、台粗利については含むようにしたり、双方含まず、或いは双方含めたりして順位を特定しても勿論よい。また、対象外となる機種の除外方法として台粗利の順位の特定対象から除外することを例示しているが、アウトの順位や後述する順位和順位の特定対象から除外するといったようにどのような方法で除外してもよい。
【００９５】
こうして、サーバ９は順位情報特定手段として、例えば機種BBBBのように機種としては共通する「４円」の第１遊技機と「１円」の第２遊技機とにおけるアウトの比率に基づく順位付けと、台粗利の比率に基づく順位付けと、をタイプ別に機種単位で行うとともに、夫々順位付けした順位の和である順位和を示す。
【００９６】
具体的には、図２４（ｂ）に示すように、一覧表２４１は「ハイミドル」のタイプの機種を例示しており、上記のように特定の利益が見込まれる機種、例えば、機種BBBBについては、台粗利の比率の高い方から順位付けして求めた順位「１」と、アウトの比率の高い方から順位付けして求めた順位「１１」と、を合計して順位和「１２」を特定する。
【００９７】
同様に例えば、機種CCCCについて、台粗利の比率の順位「２」とアウトの比率の順位「４」とを合計して順位和「６」を特定し、機種DDDDについて、台粗利の比率の順位「３」とアウトの比率の順位「１」とを合計して順位和「４」を特定する。また、機種FFFFについて、台粗利の比率の順位「４」とアウトの比率の順位「６」とを合計して順位和「１０」を特定し、機種GGGGについて、台粗利の比率の順位「５」とアウトの比率の順位「１５」とを合計して順位和「２０」を特定する。このように、機種単位でタイプ毎の順位和が特定される。尚、上記のように特定の利益が見込まれる機種だけを対象として順位付け（乃至順位和）を求めることで、ピックアップの判定精度乃至有用性を高めることができるが、対象機種が少ない場合等を考慮し、全機種を対象として順位和を求めるようにしてもよい。
【００９８】
係る順位和は、機種単位の順位を示す順位情報に相当する。サーバは、予め設定される順位条件として、その順位和を更に順位付けした順位和順位を特定した上で、当該順位和順位がピックアップ最大順位「１０」以内の機種であることを条件（順位和順位≧１０）に、該当する機種をピックアップする。つまり、順位条件は、変更推奨機種の対象となる機種を順位和により順位付けした順位が１０位以内の順位（特定の順位）となる場合に満たされる。
【００９９】
例えば一覧表２４１における、機種BBBBについては、その順位和「１２」を更に順位和の低い方から順位付けして順位和順位「４」が特定され、順位条件を満たすことでピックアップされる。同様に、機種CCCCについて、順位和「６」の順位和順位「２」が特定されピックアップされ、機種DDDDについて、順位和「４」の順位和順位「１」が特定されピックアップされ、機種FFFFについて、順位和「１０」の順位和順位「３」が特定されピックアップされ、機種DDDDについて、順位和「４」の順位和順位「５」が特定されピックアップされる。
【０１００】
こうして、図２４（ｂ）の一覧表２４１右側の網掛け部分で示すように、順位和順位が１０位までの機種BBBB〜DDDD，FFFF，GGGG，JJJJ〜MMMM，QQQQ，WWWWは、順位条件を満たすことで「４円」の第１単価から「１円」の第２単価へ単価の変更が推奨される変更推奨機種として特定される。
【０１０１】
これにより、遊技場Ａにおいて管理装置５は自店導入台のうち、サーバ９から送信され全国データに基づき抽出された変更推奨機種（つまり順位和順位が１０位までのピックアップ機種）を、当該遊技場Ａにおける変更推奨機種として、前記図２２の通知画面２２１で代表機種を表示し、又、図２３の一覧表２３１や推移グラフ２３２を表示させることができる。
この場合、管理装置５は、自店データに基づき抽出した変更推奨機種の候補（つまり自店に「４円Ｐ」として設置され且つ「１円Ｐ」に設置されていない機種であって基準利益条件や基準稼動条件を満たさない一覧表２３１の機種）について、前記全国データに基づき同一覧表２３１の「１円Ｐ」のアウトと台粗利の値を表示させることができる。また、この場合、管理装置５は、全国データに基づき抽出された変更推奨機種と、自店データに基づき抽出した変更推奨機種の候補とを照合し、この照合によって合致する機種については一覧表２３１で変更推奨機種である旨を特定可能に表示し、或いは一覧表２３１とは別に変更推奨機種のみの一覧表を表示出力してもよい。
更に、図２４（ｂ）の一覧表２４１は、遊技場Ａの自店導入台に限らず、自店データに基づき抽出した変更推奨機種の候補となる機種を対象としてリストアップしてもよいし、自店導入台以外の機種をも対象としてリストアップしてもよい（つまり自店データによらずに当該一覧表２４１を生成してもよい）。この後者の一覧表２４１に基づき抽出された変更推奨機種と、自店データに基づき抽出した変更推奨機種の候補と、の照合によって合致する機種を変更推奨機種としてもよい。
【０１０２】
尚、管理装置５において、自店データに基づき抽出した変更推奨機種に対して、サーバ９から送信される前記順位和をタイプ別に関連付け、当該変更推奨機種の順位和順位を特定した上で、当該順位和順位が１０位以内の機種（上位Ｎ機種）を特定してもよい。この場合の上位Ｎ機種のＮの値、或いは前記ピックアップ最大順位のデフォルト値は、管理装置５側で、任意に変更可能に設定してもよく、順位条件は適宜変更しるものである。
【０１０３】
また、順位情報特定手段或いは出力手段としては、管理装置５及びサーバ９の少なくとも一方により管理される前記遊技情報の値の比率に基づく順位情報を特定可能な装置（端末装置）であればよく、例えばサーバ９や遊技場管理者の携帯端末といった端末装置を出力手段として、変更推奨機種を特定可能な情報を出力してもよい。
【０１０４】
以上説明した本実施形態によれば、以下の効果を奏する。
図１１等で例示したように、初日の稼動情報（例えば台遊技時間）でランク分けした結果に基づき対象機種を特定し、対象機種について営業日単位の遊技情報と基準情報との比較結果を出力することが可能となり、所謂新台導入時に新台を好適に評価可能な指標を示し得るようになる。また、特定のランクになった機種を対象として出力対象とするため、注目すべき機種対象にして初日以降の状況をも報知可能となる。
【０１０５】
サーバ９の全国データと管理装置５の自店データとで各々ランク分けしてマトリクス評価するが、自店で導入していない機種は、全国データでのみで評価できるため、自店における状況と、サーバ９にて管理される複数の遊技場における状況とを比較した上で遊技機１を評価でき、例えば新台の遊技情報が芳しくない場合に自店の活用方法と機種自体との何れに問題があるかを把握可能となる。
【０１０６】
機種を選択した場合、全国データと自店データとの推移を出力（表示）し、更に前後のランクの機種（つまり参考となる関連機種）の推移をも表示する。このため、自店における状況と、サーバ９にて管理される複数の遊技場における状況とを比較した上で遊技機１を評価でき、例えば新台の遊技情報が芳しくない場合に自店の活用方法と機種自体との何れに問題があるかを把握可能となる。
【０１０７】
図１７に例示したように、判定対象期間の経過日数に応じて第１基準情報を設定するが、暦上の土日に対応する第２基準情報を別途設定し、祝日が含まれる等して期間が遅延した場合は、経過日数に応じた第１基準情報より土日の第２基準情報を優先して判定する。このため、平日が土日かにより遊技情報に影響が生じる場合であっても、例えば土曜日の遊技情報を比較判定する場合、祝日がなければ５日目となる一方、祝日があれば４日目となるが、４日目＝平日の比較判定ではなく、土曜日の比較判定を優先するので、適切に遊技情報を判定可能となり、適切な比較結果を出力することができる。
【０１０８】
図１６（ｃ）に示したように祝日の週を含む場合、祝日の比較判定を抑制するため、祝日は、土日と同様に遊技情報に影響が生じる虞があるとともに、導入日からの日数を考慮して祝日だけを区分して比較判定を行ってしまうと、母数の低下により比較判定に係る情報が不確かになる虞があるが、そのような虞を軽減できる。
【０１０９】
利益情報によって遊技機を評価する場合に、サーバ９により管理される利益情報の全国データと、管理装置５により管理される利益情報の自店データとを比較することで遊技機１を評価するため、自店における新台の活用について、全国データを基準に甘い調整なのか、辛い調整なのかを把握可能となる。
【０１１０】
図２２〜図２４で例示したように、管理装置５とサーバ９との少なくとも一方により管理される遊技情報であって、機種としては共通する第１遊技機と第２遊技機との遊技情報の値に比率による順位付けに基づき、「４円」から「１円」への貸単価の変更が推奨される変更推奨機種を出力するため、貸単価の変更前後に関わらず変更先（移設先）の方が向いている機種を把握可能になり、貸単価の変更対象となる機種を好適に把握可能な指標として提示し得るようになる。
【０１１１】
変更推奨機種は、「１円」の第２遊技機における利益情報が利益条件を満たすことで、貸単価の変更により特定の利益が見込まれる機種を対象として特定されるため、移設先に向いていない機種を好適に除外した上で、変更推奨機種を特定可能となる。
【０１１２】
アウトと粗利との順位の合計を順位和とするため、アウトと粗利との双方を考慮した変更推奨機種を把握可能となる。
順位和で順位付けし、その順位が自店における特定の順位の機種（例えば上位１０機種）を順位条件とするため、アウトと粗利との双方を考慮した変更推奨機種を特定可能となる。
【０１１３】
自店に「１円」の第２遊技機としては無い機種であり、自店の「４円」の第１遊技機に係るアウトと粗利との双方が基準を下回っている機種を対象とするため、既に移設を行い、実績のある機種を除外するとともに、移設元にて好適な遊技情報を得ていない機種を対象として変更推奨機種を把握可能となる。
【０１１４】
＜その他の実施形態＞
本発明は、上記した実施形態及び変形例に限定されることなく、次のように変形または拡張したり、各変形例を上記実施形態と組み合わせたりしてもよい。
【０１１５】
前記ランク分け手段は、図１１で示した全国データだけでランク分けを行い、又は、図１２で示した自店データだけでランク分けを行う構成としてもよい。
図１７で示した台遊技時間変動率等の、所定の基準情報は、前日データと当日データとの比率を表す変動率で規定されていればよく、その変動率は、台遊技時間に限らず、アウト、スタート、売上、大当り数等、各種の遊技情報を対象とした判定基準とすることができる。
【０１１６】
図１６（ｃ）で示したように暦上の祝日にあたる場合、前記比較による判定を抑制するものとして、例えば前記「３日目判定」の比較結果については、通常とは異なる態様で（祝日にあたり平日とは異なる旨を注意喚起するものとして）、モニタ７上で表示出力するようにしてもよい。
第１単価を図２３（ｃ）の基準売単価の範囲で示される単価とし、或いは第２単価について１円や１．２円の貸単価の機種をグループ化した「種別」グループと称したが、こうした貸単価の範囲を定めず、特定の単価（例えば４円丁度の値）そのものであってもよい。
【０１１７】
図２４で例示した順位和は、アウトに係る順位と台粗利に係る順位とをそのまま合計した値とせずに、アウトと台粗利といった夫々の遊技情報の値に対する、所謂重み係数を乗じた上で、その乗じた値を合計した値を用いるようにしてもよい。例えばアウトに係る順位が１５位、台粗利に係る順位が１２位だった場合、合計の２７位とせずに、台粗利の計数を１．５として、１５＋１２×１．５＝３３位として順位和を求めるようにしてもよい。
順位和や順位和順位の値等は、サーバ９から管理装置５へ出力せず、又、管理装置５で表示出力する必要はなく、変更推奨機種を特定可能な情報、つまり少なくとも当該推奨機種そのものを把握可能な情報を出力する構成であればよい（図２２の機種名参照）。
【０１１８】
管理装置５が行う処理の一部を中継装置３、或いは遊技装置２等にて行ってもよい。また、サーバ９で行う処理を管理装置５で行ったり、管理装置５で行う処理をサーバ９にて行ったり、サーバ９を設けずに管理装置５のみで順位情報等を特定することにより変更推奨機種を特定する等、どのように構成してもよい。
【０１１９】
各種の設定値（設定情報）は、遊技場管理者が任意に入力操作により設定してもよいし、予め管理装置の製造メーカにて設定してもよい。又、例えばチェーン店本部等の外部のサーバから設定情報をダウンロードして設定してもよい。
例示した全ての遊技情報は、遊技機側から出力される信号により直接的に特定してもよいし、演算式を利用して間接的に特定してもよい。
【０１２０】
上記した数値、桁数、項目等は例示であり、どのような数値を採用してもよい。また、以上と超過についてはどちらを採用してもよく、「達した」等の表現は以上となった或いは超過したのいずれにも対応する表現となる。以下と未満についても同様で、「達していない」等の表現は双方に対応する表現となる。また、グラフや一覧表を出力する出力態様については、どのような出力態様としてもよく、印字出力や、表示出力を採用することができる。
対象となる遊技機としては遊技媒体をデータのみで管理する所謂封入式等の例示したパチンコ機やスロットマシン以外の遊技機も採用できる。
【０１２１】
尚、以上に例示した実施形態からは以下の特徴を抽出することも可能である。
遊技機側から出力される遊技信号により特定される遊技情報を管理する遊技場用システムであって、前記遊技情報として、少なくとも稼動状況を示す稼動情報を管理する管理手段と、遊技機の機種に関する機種情報を登録する機種登録手段と、前記機種情報と前記管理手段により管理される稼動情報とを比較することで、遊技機が新台として導入された日に対応する判定対象期間の開始日である初日の稼動情報に基づいて機種のランク分けを行うランク分け手段と、営業日単位の遊技情報と、所定の基準情報との比較結果を出力可能な出力手段と、前記ランク分け手段によるランク分けの結果に基づき前記出力手段による出力対象となる対象機種を特定する特定手段と、を備えることを特徴とする。
【０１２２】
前記管理手段は、遊技場に設置された遊技機の遊技情報を管理対象とする個々の遊技場の第１管理手段と、複数の前記第１管理手段で管理される遊技情報を管理対象とする第２管理手段と、を含み、前記ランク分け手段は、一の遊技場において、導入されている機種についての前記ランク分けを、当該遊技場の第１管理手段により管理される稼動情報と前記第２管理手段により管理される稼動情報とに基づき行い、当該遊技場に導入されていない機種についての前記ランク分けを前記第２管理手段により管理される稼動情報に基づき行うことを特徴とする。
【０１２３】
前記管理手段は、遊技場に設置された遊技機の遊技情報を管理対象とする個々の遊技場の第１管理手段と、複数の前記第１管理手段で管理される遊技情報を管理対象とする第２管理手段と、を含み、前記第１管理手段により管理される稼動情報の推移を示す第１推移情報と、前記第２管理手段により管理される稼動情報の推移を示す第２推移情報とを管理し、前記出力手段は、前記特定手段により特定された対象機種における前記第１推移情報と前記第２推移情報とを、当該推移情報の出力対象となる対象機種のランク、及び当該ランクに応じた順位の少なくとも一方に近似、或いは一致する機種の稼動情報の推移を示す推移情報と比較可能に出力することを特徴とする。
【０１２４】
前記所定の基準情報として、前記初日からの経過日数に応じた第１基準情報と、暦上の土曜日及び日曜日の少なくとも一方に対応した第２基準情報とを設定する設定手段と、前記所定の基準情報の対象となる営業日を営業日単位で遅延する遅延処理を行う遅延手段と、を備え、前記出力手段は、前記遅延処理が行われることで前記第１基準情報と前記第２基準情報とに対応する営業日が生じた場合、前記第２基準情報を優先して用いられた比較結果を出力することを特徴とする。
【０１２５】
前記第１管理手段は、遊技機が遊技場に与えた利益を示す利益情報と、遊技機の稼動状況を示す稼動情報とを管理対象とし、前記変更推奨機種は、当該変更推奨機種の特定対象となる遊技場において、前記第１遊技機としては設置される一方、前記第２遊技機としては設置されていない機種であって、当該遊技場に対応する前記第１管理手段の管理対象となる利益情報が予め設定される基準利益条件を満たさないとともに、同じく第１管理手段の管理対象となる稼動情報が予め設定される基準稼動条件を満たさない機種を対象とすることを特徴とする。
【０１２６】
前記出力手段は、暦上の祝日にあたる場合には、前記比較による判定を抑制することを特徴とする。
前記管理手段は、遊技場に設置された遊技機の遊技情報を管理対象とする個々の遊技場の第１管理手段と、複数の前記第１管理手段で管理される遊技情報を管理対象とする第２管理手段と、を含み、
一の遊技場において、前記出力手段は、前記営業日単位の遊技情報として遊技機が遊技場に与えた利益を示す利益情報であって当該遊技場の第１管理手段により管理される利益情報と、前記所定の基準情報として前記第２管理手段により管理される利益情報との比較による判定の結果を出力することを特徴とする。
【符号の説明】
【０１２７】
図面中、１は遊技機（第１遊技機、第２遊技機）、５は管理装置（第１管理手段、機種登録手段、ランク分け手段、特定手段、設定手段、遅延手段、順位情報特定手段、出力手段）、９はサーバ（第２管理手段、機種登録手段、ランク分け手段、特定手段、設定手段、遅延手段、順位情報特定手段、出力手段）である。
【図１】
2020195580.tif 000003
【図２】
2020195580.tif 000004
【図３】
2020195580.tif 000005
【図４】
2020195580.tif 000006
【図５】
2020195580.tif 000007
【図６】
2020195580.tif 000008
【図７】
2020195580.tif 000009
【図８】
2020195580.tif 000010
【図９】
2020195580.tif 000011
【図１０】
2020195580.tif 000012
【図１１】
2020195580.tif 000013
【図１２】
2020195580.tif 000014
【図１３】
2020195580.tif 000015
【図１４】
2020195580.tif 000016
【図１５】
2020195580.tif 000017
【図１６】
2020195580.tif 000018
【図１７】
2020195580.tif 000019
【図１８】
2020195580.tif 000020
【図１９】
2020195580.tif 000021
【図２０】
2020195580.tif 000022
【図２１】
2020195580.tif 000023
【図２２】
2020195580.tif 000024
【図２３】
2020195580.tif 000025
【図２４】
2020195580.tif 000026